(57)【要約】【課題】閉鎖水域の浄化システムのおいて、廉価で、多岐にわたる水質項目を総合的に高効率で安定して浄化でき且つ閉鎖水域全体を平均的に浄化できるようにする。【解決手段】浄化システムは、ため池、湖沼、ダム等の滞留しやすい閉鎖水域２０の水質を浄化するのに用いられ、閉鎖水域２０の適所に配置して藻類等の汚濁物を局所に集めるように水流を発生する水流機１と、水流機１により集められた汚濁物を含む水の浄化処理を行なう複合浄化装置１４とを備える。そして、複合浄化装置１４は、汚濁物に凝集剤を添加して凝集させる凝集槽５、汚濁物を沈降させる沈降槽７、および汚濁物を濾過するひも状繊維接触材を充填した濾過槽８の順に組み合わせて構成されている。【選択図】  図１
2004321960.tif 000002
【特許請求の範囲】
【請求項１】
ため池、湖沼、ダム等の滞留しやすい閉鎖水域の水質を浄化する浄化システムにおいて、
前記閉鎖水域の適所に配置して藻類等の汚濁物を局所に集めるように水流を発生する水流機と、
前記水流機により集められた汚濁物を含む水の浄化処理を行なう複合浄化装置とを備え、
前記複合浄化装置を、汚濁物に凝集剤を添加して凝集させる凝集槽、汚濁物を沈降させる沈降槽、および汚濁物を濾過するひも状繊維接触材を充填した濾過槽の順に組み合わせて構成したことを特徴とする閉鎖水域の浄化システム。
【請求項２】
請求項１において、前記凝集槽における処理水量に対して鉄系凝集剤を５〜５０ｐｐｍの濃度で添加するように設定した凝集剤注入装置を設けたことを特徴とする閉鎖水域の浄化システム。
【請求項３】
請求項１または２において、前記沈降槽に堆積した沈降汚泥の一部を前記凝集槽に供給する汚泥供給手段を設けたことを特徴とする閉鎖水域の浄化システム。
【請求項４】
請求項１から３の何れかにおいて、前記沈降槽内を隔壁で初沈降槽と中間沈降槽とに区画し、前記初沈降槽に堆積した沈降汚泥を回収して汚泥槽に供給する汚泥回収ポンプを設けたことを特徴とする閉鎖水域の浄化システム。
【請求項５】
請求項１から３の何れかにおいて、前記沈降槽内を隔壁で初沈降槽と中間沈降槽とに区画し、前記初沈降槽から前記中間沈降槽に通水する前記隔壁の連通部を前記初沈降槽への流入部より離れた位置で且つ水面より低い位置に設けたことを特徴とする閉鎖水域の浄化システム。
【請求項６】
ため池、湖沼、ダム等の滞留しやすい閉鎖水域の水質を浄化する浄化方法において、
前記閉鎖水域の適所に配置した水流機の水流により藻類等の汚濁物を局所に集め、集めた汚濁物を含む水を凝集槽に導入して凝集剤を添加して汚濁物を凝集させ、凝集させた汚濁物を含む水を沈降槽に導入して汚濁物を沈降させ、沈降されなかった汚濁物を含む水をひも状繊維接触材を充填した濾過槽に導入して汚濁物を濾過することを特徴とする閉鎖水域の浄化方法。
【請求項７】
請求項６において、前記沈降槽に堆積した沈降汚泥を汚泥槽に回収し、この回収された汚泥の一部を前記凝集槽に供給することを特徴とする閉鎖水域の浄化方法。
【発明の詳細な説明】
【０００１】
【発明の属する技術分野】
本発明は、ため池等閉鎖水域の浄化システム及び浄化方法に係り、特に、ため池、湖沼、ダム等の滞留して富栄養化しやすい閉鎖水域においてアオコ等の藻類（植物プランクトン）が大量に発生する汚濁水域を浄化する浄化システムおよび浄化方法に好適なものである。
【０００２】
【従来の技術】
ため池、湖沼、ダム等は閉鎖的水域であることにより、リン、窒素等の栄養塩が流入すると貯留されやすく、また、風や水温差による対流等の極僅かな流れしか生じないため、アオコ等の藻類（植物プランクトン）が発生しやすい。特に、春から秋にかけて水温が上昇する時期になると、アオコが大量に発生しやすくなる。一般にアオコの大きさは数μｍから１０μｍ程度であるが、これが数１０〜１００μｍの塊の群体をなし、さらには代表的なアオコの一種であるミクロキスティス等は細胞内にガス胞を有するため、池の表層部を日単位で繰り返して浮遊・沈降する。
【０００３】
従来の水面流発生装置を用いた閉鎖水域の浄化システムとして、特開２００１−２９５２３８号公報（特許文献１）の図６に開示されたものがある。この浄化システムは、例えば下水終末処理場の貯水池に発生するスカムなどの浮遊物を除去するのに用いられ、その貯水池が方形であればその三隅に水面流発生装置を設置し、残りの一隅に例えば案内板とフィルタからなるフィルタ装置を設置するようにしたものである。このような構成において三隅の水面流発生装置により貯水池の全体にわたる循環流が形成され、この循環流に乗せて浮遊物がフィルタ装置に導かれ、そこで浮遊物を効率的に回収・除去することができる。
【０００４】
また、従来の浄化装置としては、特開平１１−３００３６６号公報（特許文献２）に開示されたものがある。この浄化装置は、湖，沼，池等の水を汲み上げるポンプと、汲み上げた水を貯溜すると共に該水に凝集剤を添加する凝集槽と、凝集槽で凝集処理された水を濾過し、濾過処理後の水を湖，沼，池等に戻す濾過槽とからなるものである。この濾過槽には、珪砂やアンスラサイト等の濾過材とこの濾過材の表面に設けられた生物活性膜とからなる充填材が充填されている。
【０００５】
【特許文献１】
特開２００１−２９５２３８号公報（図６）
【特許文献２】
特開平１１−３００３６６号公報
【０００６】
【発明が解決しようとする課題】
上述した特許文献１には、スカムなどの浮遊物を水流発生装置で集めてフィルタ装置で除去することが示されているが、アオコ等の藻類が大量に発生した場合に対応できるフィルタ装置とすることに関しては開示されていない。例えば、絵の具を撒いたような浮遊アオコの状態のクロロフィルａ濃度（以下、クロロフィルａと称する）は数１０００μｇ／Ｌオーダに達し、単なるフィルタ装置でこれらを十分に除去することは難しいという課題があった。
【０００７】
一方、池や湖沼等の閉鎖水域の水質改善は、藻類除去のみならず一般には有機汚濁物の指標である生物化学的酸素要求量（以下、ＢＯＤと称する）、化学的酸素要求量（以下、ＣＯＤと称する）、懸濁汚濁物の総量である浮遊物質（以下、ＳＳと称する）、全リン（以下、Ｔ−Ｐと称する）、全窒素（以下、Ｔ−Ｎと称する）を始めとする栄養塩濃度、透視度等の多岐にわたる水質項目の改善が要求されており、藻類除去と連携してその改善を図る必要がある。これらの項目は１μｍ以下のいわゆる溶存態としても存在するため、それらを除去するには凝集剤を使用して溶存汚濁物をある程度粗大化し、粗大化した汚濁物を濾過するなどして分離除去することが考えられる。
【０００８】
しかし、特許文献２に示されているように、凝集槽と濾過槽とを単に組み合わせたのみでは、凝集剤添加により凝集された汚濁物により濾過槽の目詰まりが著しくなり、この目詰まりを解消するために充填材の洗浄操作を頻繁に行なう必要がある。珪砂やアンスラサイト等の濾過材とこの濾過材の表面に設けられた生物活性膜とからなる充填材が充填され濾過槽を用いた特許文献２では、充填材の洗浄操作を特に頻繁に行なう必要がある。このように、充填材の洗浄操作を頻繁に行なうと、大量の洗浄排水の処理が必要となり、洗浄排水処理の負担が増加し、維持管理が煩雑となり維持管理コストが増加してしまうという問題を有している。
【０００９】
本発明の目的は、廉価で、多岐にわたる水質項目を総合的に高効率で安定して浄化でき且つ閉鎖水域全体を平均的に浄化することができるため池等閉鎖水域の浄化システム及び浄化方法を得ることにある。
【００１０】
【課題を解決するための手段】
上記目的を達成するために、本発明は、ため池、湖沼、ダム等の滞留しやすい閉鎖水域の水質を浄化する浄化システムにおいて、前記閉鎖水域の適所に配置して藻類等の汚濁物を局所に集めるように水流を発生する水流機と、前記水流機により集められた汚濁物を含む水の浄化処理を行なう複合浄化装置とを備え、前記複合浄化装置を、汚濁物に凝集剤を添加して凝集させる凝集槽、汚濁物を沈降させる沈降槽、および汚濁物を濾過するひも状繊維接触材を充填した濾過槽の順に組み合わせて構成したことにある。
そして、本発明でさらに好ましくは、係る浄化システムにおいて、前記凝集槽における処理水量に対して鉄系凝集剤を５〜５０ｐｐｍの濃度で添加するように設定した凝集剤注入装置を設ける構成としたことにあり、或いは、前記沈降槽に堆積した沈降汚泥の一部を前記凝集槽に供給する汚泥供給手段を設ける構成としたことにあり、或いは、前記沈降槽内を隔壁で初沈降槽と中間沈降槽とに区画し、前記初沈降槽に堆積した沈降汚泥を回収して汚泥槽に供給する汚泥回収ポンプを設ける構成としたことにあり、或いは、前記沈降槽内を隔壁で初沈降槽と中間沈降槽とに区画し、前記初沈降槽から前記中間沈降槽に通水する前記隔壁の連通部を前記初沈降槽への流入部より離れた位置で且つ水面より低い位置に設ける構成としたことにある。
また、上記目的を達成するために、本発明は、ため池、湖沼、ダム等の滞留しやすい閉鎖水域の水質を浄化する浄化方法において、前記閉鎖水域の適所に配置した水流機の水流により藻類等の汚濁物を局所に集め、集めた汚濁物を含む水を凝集槽に導入して凝集剤を添加して汚濁物を凝集させ、凝集させた汚濁物を含む水を沈降槽に導入して汚濁物を沈降させ、沈降槽でされなかった汚濁物を含む水をひも状繊維接触材を充填した濾過槽に導入して汚濁物を濾過することにある。
そして、本発明でさらに好ましくは、係る浄化方法において、前記沈降槽に堆積した沈降汚泥を汚泥槽に回収し、この回収された汚泥の一部を前記凝集槽に供給することにある。
【００１１】
【発明の実施の形態】
以下、本発明の複数の実施例を、図を用いて説明する。各実施例の図における同一符号は同一物または相当物を示す。
【００１２】
本発明の第１実施例を図１から図６により説明する。
【００１３】
図１は本実施例による浄化システムの全体構成を示す図である。この浄化システムは、ため池、湖沼、ダム等の滞留しやすい閉鎖水域の水質を浄化するために用いられ、閉鎖水域の適所に配置して藻類等の汚濁物を局所に集めるように水流を発生する水流機１と、水流機１により集められた汚濁物を含む水の浄化処理を行なう複合浄化装置１４とを備えて構成されている。複合浄化装置１４は、凝集剤を添加して撹拌する凝集槽５、その凝集槽で生じる凝集粗大粒子を沈降分離する沈降槽７、および流出した凝集粗大粒子または凝集化されず残留した藻類等汚濁物を濾過するひも状繊維接触材を充填した濾過槽８等からなっている。
【００１４】
複数台の水流機１を適切な位置に配置することで閉鎖水域２０全体に循環流を生じさせ、水中フェンス２をガイドとして藻類等の汚濁物を取水ポンプ３の設置してある取水位置に強制的に送り込み濃縮させる。その濃縮汚濁水を取水ポンプ３により原水として取水し、一旦貯水槽４に貯留した後、凝集槽５、沈降槽７、濾過槽８で浄化処理を行い、処理水を放流ポンプ９により閉鎖水域２０に放流する。
【００１５】
図２は水流機１の縦断面図である。水流機１は、水中ポンプ１ａを箱状フレーム１ｂの内部に組み込んだ構成となっている。水中ポンプ１ａは、その下端部に吸込み口１ｃを有するとともに、流路管１ｄで上方に延設されて水面近辺に放水される吐出口１ｅを有している。箱状フレーム１ｂは、水中ポンプ１ａを覆うようにして支持している。この箱状フレーム１ｂは、その側面上端部に取水口１ｆが設けられており、この取水口１ｆを介して当該水域２０と連通している。したがって、水中ポンプ１ａの吸込み口１ｃもこの取水口１ｆを介して当該水域と連通することになる。そして、フロート１ｇによりこの取水口１ｆが水面近辺に位置することにより、箱状フレーム１ｂの内部に取り込む水を表層に制限することができる。また、取水口１ｆには導流板１ｈが設けられている。この導流板１ｈは、箱状フレーム１ｂの取水口１ｆで水の取り込みを水面近辺に制限するためのもので、箱状フレーム１ｂの側面から突出して設けられている。
【００１６】
水中ポンプ１ａが駆動されると、取水口１ｆを経て箱状フレーム１ｂに取り込まれた水が吸込み口１ｃから水中ポンプ１ａに吸い込まれて吐出口１ｅから当該水域に放水される。この水の取り込みと放水において、上記のように箱状フレーム１ｂの取水口１ｆが水面近辺にあり、しかもこの取水口１ｆに導流板１ｈが設けられていることにより、水域水の吸い込みは水面近辺に制限され、また吐出口１ｅからの放水は、水面近辺で水面に平行するようになされる。
【００１７】
なお、水流機１の台数と設置位置は、浄化対象とする水域の形状や広さに応じて適宜に設定する。
【００１８】
図３は本発明による複合浄化装置１４の要部平面概要図、図４は沈降槽７の縦断正面図、図５は沈降槽７の縦断面側面図である。取水ポンプ３で取水した原水は貯水槽４を介して凝集槽５に送水される。凝集槽５には上部に撹拌機５ａを有する。攪拌機５ａは、凝集剤注入装置６から凝集剤注入ライン６ａを介して注入される凝集剤と被処理水とを混合撹拌する。凝集剤としては鉄系凝集剤を使用し、５〜５０ｐｐｍの濃度になるよう添加することにより凝集効果を高めることができる。ここで、鉄は自然界に普通に存在し生物にとって必須元素であることから、他の金属系凝集剤に比べて鉄系凝集剤の方が万一凝集剤成分が水域に流出した場合でも環境や生態系に対する影響が小さい。なお、貯水槽４または凝集槽５において、必要に応じてｐＨ値などを凝集に適した条件に調整する。
【００１９】
凝集槽５で凝集して粗大化した汚濁粒子は、主として沈降槽７で被処理水中から沈降分離される。沈降槽７は初沈降槽７ａと中間沈降槽７ｂとから成り、図３および図４に示すように隔壁７ｃにより初沈降槽７ａと中間沈降槽７ｂとに分割されている。初沈降槽７ａでは、比較的沈降しやすい凝集粗大粒子を沈降分離するが、凝集粗大粒子は必ずしも沈降するとは限らず一部は浮力を有して水面に浮上する凝集粗大粒子も発生することがある。そこで、隔壁７ｃには、図５に示すように、凝集槽５からの流入部から離れた位置で、且つ、水面から下がった位置に開口で構成された連通部７ｄが設けられており、この連通部７ｄから中間沈降槽７ｂに流入するようにしてある。こうすることで、水面に浮上した凝集粗大粒子は隔壁７ｃで堰き止められるので、浮上した凝集粗大粒子が中間沈降槽７ｂに流出することを防止することができる。
【００２０】
また、図４に示すように、中間沈降槽７ｂは、傾斜底７ｅを設けることにより凝集粗大粒子が初沈降槽７ａの側に集積しやすいようにしている。これにより沈降汚泥の回収作業を容易にすることができる。本実施例では凝集剤を用いたことを特徴としているため、性能向上が可能になるに伴い発生汚泥もそれだけ多く発生し、通常、定期的な堆積汚泥の回収が必要である。上記のように本実施例では、沈降槽７を初沈降槽７ａと中間沈降槽７ｂとに分割し、浮上する凝集粗大粒子を隔壁７ｃにより初沈降槽７ａで堰き止めて中間沈降槽への水から分離することによって、初沈降槽７ａに集中して凝集粗大粒子を沈降させることができる。従って、沈降槽７の全体を一様に汚泥回収することなく、初沈降槽７ａに設置された汚泥回収ポンプ１１により汚泥槽１０に汚泥を容易に貯留でき、汚泥回収作業が容易となる。
【００２１】
沈降槽７の下流側には沈降槽７で被処理水中から分離しきれなかった比較的小さな凝集粗大粒子や藻類等を捕捉分離するため、図６に示すようなひも状繊維接触材を充填した濾過槽８を設けている。濾材ユニット８ａは、図６に示すように、パイプなどで形成した枠体にひも状濾材Ｆをすだれ状にして保持させた構造としている。ひも状濾材Ｆには、合成繊維などを用いた軸ひもＡに同じく合成繊維などを用いたパイルひもＰを絡め付けた構造のものを用いている。このようなひも状濾材Ｆは、互いのパイルひもＰ同士の間に隙間を有して配列している。
【００２２】
本実施例では、凝集槽５の後に沈降槽７を設けてその次に濾過槽８を配置し、空隙率の高いひも状繊維接触材を濾過槽８に充填して横向流とすることで、目詰まることもなく長期の運転維持が可能となることが分かった。即ち、かかる濾過槽８の滞留時間を定める試験を実施したところ、滞留時間が０．５時間以上となるように濾過槽の大きさを設定すると安定して除去性能が維持できることが分かった。従って、濾過槽８の滞留時間を０．５〜１．０時間程度とすることによって、処理水量を確保しつつ安定した除去性能が得られる。
【００２３】
本実施例による複合浄化システムの浄化性能例を表１に示す。
【００２４】
【表１】
2004321960.tif 000003
表１から明らかなように、本実施例においては、安定して高い除去性能を維持することができる。なお、表１における原水中の優占藻類は藍藻類（アオコ）で、アオコが群体を形成して池水面上を膜状に浮遊した状態の水質を示す。
【００２５】
また、図３および図４に示すように、本実施例による複合浄化装置１４は、初沈降槽７ａに堆積した汚泥１２を汚泥回収ポンプ１１により汚泥槽１０に移送することができるようになっている。ここで、汚泥槽１０に移送・貯留された汚泥は、汚泥戻しライン１０ａを介して凝集槽５に返送することができるようになっている。汚泥を被処理水に少量添加すると、汚濁物が凝集して粗大粒子化する際に汚泥粒子が核となって凝集作用の効率が向上すると共に、汚泥粒子を取り込むことで凝集粗大粒子の比重が増加するので、凝集粗大粒子の沈降性を向上することができる。
【００２６】
表２に、通常の場合（汚泥返送なし）と汚泥返送を行った場合の処理性能と沈降分離時間の比較結果を示す。
【００２７】
【表２】
2004321960.tif 000004
ここで、汚泥返送を行った場合の原水ＳＳは汚泥を添加した後のＳＳ濃度である。汚泥返送を行った場合、通常の場合と同等の処理水ＳＳが得られているのに対し、沈降分離時間を通常の場合の０．５〜２時間から０．１時間と大幅に短縮することができた。従って、沈降槽７あるいは初沈降槽７ａの滞留時間は０．１〜０．２時間程度とすることによって、処理水量を確保しつつ十分な沈降性能を得ることができる。凝集槽５および沈降槽７での浄化処理が不十分な場合には、上記のような汚泥返送を行なうことで処理効率を向上させることが可能である。なお、原水に添加する汚泥は、水域の底泥や貯水槽４あるいは濾過槽８に沈殿した汚泥等を利用しても良いが、初沈降槽７ａにおける粗大粒子化された汚泥を用いることにより、より一層効果的な凝集効果を奏することができる。即ち、初沈降槽７ａに沈殿した汚泥は、過去の浄化処理の際に良好に粗大粒子化し速やかに沈降して初沈降槽７ａに沈殿した汚泥であるから、粗大粒子化し易く沈降性の高い汚泥粒子が多く含まれており、汚泥返送により処理効率を効率を向上するのに適しているからである。
【００２８】
濾過槽８の下流側には放流ポンプ９が設置してあり、処理水を閉鎖水域２０に放流する。この際、水流機１の設置位置に応じて、水域全体が循環しやすいような向きに放流するように設けてある。
【００２９】
本実施例によれば、閉鎖水域２０の適所に配置した１台または複数台の水流機１により発生させた水流によって藻類等の懸濁汚濁物を局所に集めて高濃度化させ、高濃度化した水を、凝集槽５、沈降槽７およびひも状繊維接触材を充填した濾過槽８を組み合わせた複合浄化装置１４により浄化処理を行なうことによって、従来の水流機や生物処理装置等では達し得なかった藻類等汚濁物を安定して高効率で除去することができ、また閉鎖水域２０全体の浄化を図ることができる。
【００３０】
さらに、凝集槽５から直接濾過槽に通水するのではなく、中間に沈降槽７を設け且つ空隙率の高いひも状繊維接触材を濾過槽８に充填して横向流で処理を行なうことによって、目詰まりが生じなくなり、維持管理を容易で且つ低コストで浄化を行なうことができる。
【００３１】
また、沈降槽７の内部に隔壁７ｃを設けることにより初沈降槽７ａと中間沈降槽７ｂを形成し、凝集槽５から初沈降槽７ａに流入する流入部から離れた位置で、且つ、隔壁７ｃの水面より下の位置に連通部７ｃを設け、連通部７ｃを通じて初沈降槽７ａから中間沈降槽７ｂに通水することにより浮上する凝集粗大粒子を分離除去できるので、処理性能が向上し、且つ、汚泥の回収を容易にすることができる。
【００３２】
また、沈降槽７に堆積した沈降汚泥の一部を凝集槽５に返送することによって、従来の凝集剤を用いた手法に比べて凝集に要する時間が短縮され、凝集粗大粒子の沈降効率を向上させることができる。また、凝集槽５において原水に鉄系凝集剤を５〜５０ｐｐｍの濃度で添加し、沈降槽の滞留時間を０．１〜０．２時間程度、濾過槽の滞留時間を０．５〜１．０時間程度とすることにより、安定して高い処理性能を維持することができる。
【００３３】
かかる浄化システムを適用して、容量４，０００ｍ３のアオコが発生していた池の浄化を試みたところ、運転開始から約１０日間で池全体の水面浮遊アオコを消滅させ、池の水質を本装置の処理水と同等レベルにまで低下させることができた。
【００３４】
次に、本発明の第２実施例を図７を用いて説明する。図７は本発明の閉鎖水域の浄化システムの構成図である。この第２実施例は、次に述べる通り第１実施例と相違するものであり、その他の点については第１実施例と基本的には同一である。
【００３５】
この第２実施例では、複合浄化装置１４を陸上に設置したものである。この場合、閉鎖水域２０の水面と複合浄化装置１４との間に水位差があるため、放流ポンプ９を省略して水位差を利用して浄化した処理水を閉鎖水域２０に放流することができる。
【００３６】
このように、本発明は上記実施例に限定されず、水域内あるいは陸上設置等、様々な組み合わせが容易に考えられる。
【００３７】
【発明の効果】
以上説明したように、本発明によれば、廉価で、多岐にわたる水質項目を総合的に高効率で安定して浄化でき且つ閉鎖水域全体を平均的に浄化することができるため池等閉鎖水域の浄化システム及び浄化方法を得ることができる。
【図面の簡単な説明】
【図１】本発明の第１実施例の浄化システムの全体構成を示す図である。
【図２】図１の浄化システムにおける水流機の縦断面図である。
【図３】図１の浄化システムにおける複合浄化装置の要部平面概要図である。
【図４】図１の浄化システムにおける沈降槽の縦断面正面図である。
【図５】図１の浄化システムにおける沈降槽の縦断面側面図である。
【図６】図１の浄化システムにおける濾過槽に用いる濾材の説明図である。
【図７】本発明の第２実施例の浄化システムの構成を示す図である。
【符号の説明】
１…水流機、２…水中フェンス、３…取水ポンプ、４…貯水槽、５…凝集槽、５ａ…撹拌機、６…凝集剤注入装置、６ａ…凝集剤注入ライン、７…沈降槽、７ａ…初沈降槽、７ｂ…中間沈降槽、７ｃ…隔壁、７ｄ…連通部、７ｅ…傾斜底、８…濾過槽、９…放流ポンプ、１０…汚泥槽、１０ａ…汚泥戻しライン、１１…汚泥回収ポンプ、１２…堆積汚泥、１３…取水ポンプ、１４…複合浄化装置、１５…放流ライン、２０…閉鎖水域。
【図１】
2004321960.tif 000005
【図２】
2004321960.tif 000006
【図３】
2004321960.tif 000007
【図４】
2004321960.tif 000008
【図５】
2004321960.tif 000009
【図６】
2004321960.tif 000010
【図７】
2004321960.tif 000011